(57)【要約】【課題】外気導入孔に内容物等が進入するのを防止する。【解決手段】内容器２及び外容器３を備える容器本体４と、容器本体４の口部４ａに装着され、内容物を吐出する吐出口１３が形成された吐出キャップ２４とを備え、外容器３には、内容器２との間に外気を吸入するための吸気孔７ｃが形成され、吐出キャップ２４には、外部と吸気孔７ｃとを連通する外気導入孔５ｄ及び吐出口１３と内容器２の内部とを連通する連通孔９ｆが形成され、また吸気孔７ｃと外気導入孔５ｄとの連通及び遮断を切り替える空気弁４５と、連通孔９ｆを開閉する吐出弁３６と、が備えられる。吐出キャップ２４は、有頂筒状部５０と、有頂筒状部５０の天壁部に立設され、その先端に吐出口１３が形成された吐出筒部５１とを備える吐出キャップ本体５を備え、上記天壁部には外気導入孔５ｄが形成され、吐出筒部５１には外気導入孔５ｄを覆う被覆壁７０が径方向の外側に向けて突設される。【選択図】図１
2014231386.tif 000002
【特許請求の範囲】
【請求項１】
内容物が収容されるとともに前記内容物の減少に伴いしぼみ変形する可撓性に富む内容器、及び、前記内容器が内装される外容器を備える容器本体と、
前記容器本体の口部に装着され、前記内容物を吐出する吐出口が形成された吐出キャップと、を備え、
前記外容器には、前記内容器との間に外気を吸入するための吸気孔が形成され、
前記吐出キャップには、
外部と前記吸気孔とを連通する外気導入孔、及び、前記吐出口と前記内容器の内部とを連通する連通孔が形成されるとともに、
前記吸気孔と前記外気導入孔との連通及び遮断を切り替える空気弁と、
前記連通孔を開閉する吐出弁と、
が備えられ、
前記吐出キャップは、有頂筒状部と、この有頂筒状部の天壁部に立設され、その先端に前記吐出口が形成された吐出筒部と、を備える吐出キャップ本体を備え、
前記有頂筒状部の天壁部には、前記外気導入孔が形成され、
前記吐出筒部には、前記外気導入孔を覆う被覆壁が径方向の外側に向けて突設されていることを特徴とする吐出容器。
【発明の詳細な説明】
【技術分野】
【０００１】
本発明は、吐出容器に関する。
【背景技術】
【０００２】
従来、この種の容器として、内容物が収容されるとともに前記内容物の減少に伴いしぼみ変形する可撓性に富む内容器、及び、前記内容器が内装される外容器を備える容器本体と、前記容器本体の口部に装着され、前記内容物を吐出する吐出口が形成された吐出キャップと、を備え、前記外容器には、前記内容器との間に外気を吸入するための吸気孔が形成され、前記吐出キャップには、外部と前記吸気孔とを連通する外気導入孔、及び、前記吐出口と前記内容器の内部とを連通する連通孔が形成されるとともに、前記吸気孔と前記外気導入孔との連通及び遮断を切り替える空気弁と、前記連通孔を開閉する吐出弁と、が備えられたものがある（例えば、特許文献１参照）。
【先行技術文献】
【特許文献】
【０００３】
【特許文献１】実開平７−２２９５１号公報
【発明の概要】
【発明が解決しようとする課題】
【０００４】
しかしながら、上記従来の吐出容器では、吐出キャップにおける先端に吐出口が形成された吐出筒部の基端部側に外気導入孔が位置し、外気導入孔が吐出口側に向いて開放している。このため、吐出口に内容物等が残存する場合に、これが吐出筒部をつたって外気導入孔に進入してしまう虞がある。
【０００５】
本発明は係る実情に鑑みてなされたものであり、外気導入孔に内容物等が進入するのを防止できる吐出容器を提供することを目的とする。
【課題を解決するための手段】
【０００６】
上記課題の解決手段として、本発明は、内容物が収容されるとともに前記内容物の減少に伴いしぼみ変形する可撓性に富む内容器、及び、前記内容器が内装される外容器を備える容器本体と、前記容器本体の口部に装着され、前記内容物を吐出する吐出口が形成された吐出キャップと、を備え、前記外容器には、前記内容器との間に外気を吸入するための吸気孔が形成され、前記吐出キャップには、外部と前記吸気孔とを連通する外気導入孔、及び、前記吐出口と前記内容器の内部とを連通する連通孔が形成されるとともに、前記吸気孔と前記外気導入孔との連通及び遮断を切り替える空気弁と、前記連通孔を開閉する吐出弁と、が備えられ、前記吐出キャップは、有頂筒状部と、この有頂筒状部の天壁部に立設され、その先端に前記吐出口が形成された吐出筒部と、を備える吐出キャップ本体を備え、前記有頂筒状部の天壁部には、前記外気導入孔が形成され、前記吐出筒部には、前記外気導入孔を覆う被覆壁が径方向の外側に向けて突設されていることを特徴とする。
【０００７】
この吐出容器では、吐出筒部の先端の吐出口に付着した内容物等が吐出筒部の外周面をつたって外気導入孔側に流れようとしたときに、内容物等が被覆壁によってせき止められる。これにより、外気導入孔に内容物等が進入してしまうのを防止できる。
【発明の効果】
【０００８】
本発明によれば、外気導入孔に内容物等が進入するのを防止できる。
【図面の簡単な説明】
【０００９】
【図１】本発明の実施形態に係る吐出容器の断面図である。
【図２】本発明の実施形態に係る吐出容器が備える閉塞板部における基板部の図であって、（ａ）は上面図であり、（ｂ）は（ａ）のＡ−Ａ線に沿う断面図である。
【図３】本発明の実施形態に係る吐出容器が備える閉塞板部における支持板部の図であって、（ａ）は上面図であり、（ｂ）は（ａ）のＢ−Ｂ線に沿う断面図であり、（ｃ）は（ａ）のＣ−Ｃ線に沿う断面図である。
【図４】本発明の実施形態に係る吐出容器の吐出時の断面図である。
【図５】本発明の実施形態に係る吐出容器が備える弁筒体における本体筒と空気弁とが連結した一体成形体の断面図である。
【発明を実施するための形態】
【００１０】
以下、本発明の吐出容器の実施形態について説明する。
【００１１】
図１に示すように、本発明の第１の実施形態に係る吐出容器１は、内容物が収容されるとともに内容物の減少に伴いしぼみ変形する可撓性に富む内容器２、及び、内容器２が内装されるとともに弾性変形可能な外容器３を備える容器本体４と、容器本体４の口部４ａに装着され、内容物を吐出する吐出口１３が形成された吐出キャップ２４と、吐出キャップ２４に着脱自在に配設されたオーバーキャップ６と、を備えている。
本実施形態において吐出容器１は泡吐出容器であり、吐出キャップ２４には、気液混合体を発泡する発泡部材１００が２つ備えられている。
【００１２】
容器本体４は有底筒状に形成され、オーバーキャップ６は有頂筒状に形成され、オーバーキャップ６の被蓋状態において、容器本体４及びオーバーキャップ６は、それぞれの中心軸線が共通軸上に配設された状態となっている。以下、この共通軸を容器軸Ｏといい、容器軸Ｏ方向に沿ってオーバーキャップ６側を上側、容器本体４の底部側を下側といい、また容器軸Ｏに直交する方向を径方向といい、容器軸Ｏ周りに周回する方向を周方向という。
【００１３】
図示の例において、容器本体４は、内容器２が外容器３の内面に剥離可能に積層されたいわゆるデラミボトルとなっている。容器本体４の口部４ａは、上側に位置する上筒部７と、下側に位置し上筒部７よりも大径に形成された下筒部８と、を備える中空円形断面の二段筒状に形成されている。
【００１４】
上筒部７のうち、外容器３で構成された部分（以下、外上筒部という）７ａの外周面には雄ねじ部７ｂが形成されている。また、外上筒部７ａにおいて、雄ねじ部７ｂより下側に位置する部分には、外容器３と内容器２との間に外気を吸入するための吸気孔７ｃが形成されている。また、外上筒部７ａの外周面には、雄ねじ部７ｂ及び吸気孔７ｃを容器軸Ｏ方向に貫く溝７ｅが形成されている。
【００１５】
外上筒部７ａの内周面は円筒面とされ、この内周面に、上筒部７のうち、内容器２で構成された部分（以下、内上筒部という）７ｄが積層されている。また、内上筒部７ｄの上端部は、径方向の外側に折り返されて外上筒部７ａの上端開口縁上に配置されている。
容器本体４は、例えば、共押出し成形した二層構造のパリソンをブロー成形することにより成形され、外容器３は例えばポリエチレン樹脂製等とされるとともに、内容器２はポリエチレン樹脂に対して相溶性のない例えばポリアミド系の合成樹脂製等とされている。
【００１６】
吐出キャップ２４は、口部４ａに装着されるとともに吐出口１３が形成された吐出キャップ本体５と、吐出キャップ本体５内に配設されて口部４ａを閉塞するとともに、吐出口１３と内容器２の内部とを連通する連通孔９ｆが形成された閉塞板部９と、吐出キャップ本体５と閉塞板部９との間に配設された弁筒体１７と、を備えている。
【００１７】
吐出キャップ本体５は、天壁部５０ａ及び周壁部５０ｂを備える有頂筒状部５０と、この有頂筒状部５０の天壁部５０ａに立設され、その先端に吐出口１３が形成された吐出筒部５１と、を備えている。
有頂筒状部５０の周壁部５０ｂの内周面には、容器本体４の口部４ａの雄ねじ部７ｂに螺着された雌ねじ部５ｃが形成されている。また、周壁部５０ｂの下端部内に、口部４ａの下筒部８が気密状態で嵌合されている。これにより、吸気孔７ｃが、吐出キャップ本体５における有頂筒状部５０の周壁部５０ｂの下側からこの吐出容器１の外部と連通することが防止されている。なお、本実施形態では、有頂筒状部５０の中心軸線が容器軸Ｏと同軸となるように、吐出キャップ本体５が容器本体４に装着されている。
【００１８】
有頂筒状部５０の天壁部５０ａは環板状に形成され、吐出筒部５１は円筒状であり、天壁部５０ａの上面における開口内周縁側の部位から、その中心軸線を容器軸Ｏと同軸として上方に向けて延びている。ここで、発泡部材１００は、吐出筒部５１の上下方向中央の部位と上端部との間の内部において、上下に離間して２つ配設されている。
本実施形態の発泡部材１００は、吐出筒部５１の内周面に嵌合された本体筒１０１と、本体筒１０１の一端開口内に設けられた例えばメッシュ状の発泡エレメント１０２と、を備えている。本実施形態では、２つの発泡部材１００のうち上側の発泡部材１００では、発泡エレメント１０２が本体筒１０１の上端開口内に設けられ、下側の発泡部材１００では、発泡エレメント１０２が本体筒１０１の下端開口内に設けられている。
また、天壁部５０ａの下面には、下方へ向けて延びる環状の空気弁受け筒１８が形成されている。
【００１９】
また、天壁部５０ａには、上下方向に貫通して、吐出キャップ本体５内と外部とを連通させる外気導入孔５ｄが形成されている。外気導入孔５ｄは周方向に間隔を空けて複数形成されている。
【００２０】
閉塞板部９は、口部４ａに装着された基板部９０と、基板部９０に装着された支持板部９１と、を備えている。基板部９０及び支持板部９１はともに円板状であり、その中心軸線が容器軸Ｏと同軸となるように吐出キャップ本体５内に配設されている。
図１及び図２を参照し、基板部９０は、中央部に連通孔９ｆの一部を構成する上下方向に貫通した貫通孔９ｆ１が形成されるとともに口部４ａを閉塞する円板状の基板主面部９０ａと、基板主面部９０ａの外周縁から上方に向けて突設され、吐出キャップ本体５における有頂筒状部５０の周壁部５０ｂ内に嵌合された装着筒部９０ｂと、口部４ａ内に嵌合されたシール筒部９０ｃと、基板主面部９０ａの上面における貫通孔９ｆ１の外周縁部から上方に向けて突設された連通筒部９０ｄと、連通筒部９０ｄの上端縁から上方に向けて突設された嵌合突起９０ｅと、を備えている。
【００２１】
基板部９０はさらに、貫通孔９ｆ１の内周面から径方向の内側に張り出し、内周面の内径が貫通孔９ｆ１よりも小径に形成された絞り環部９０ｆと、基板主面部９０ａの下面における貫通孔９ｆ１の外周縁部から下方に向けて突設されたスリーブ支持筒部９０ｇと、を備えている。本実施形態ではスリーブ支持筒部９０ｇの内側に連通孔９ｆを流通する内容物の流通量を規定する調整筒８０が嵌合されている。
【００２２】
また、基板部９０の装着筒部９０ｂには、径方向に貫通し、かつ、下方に向けて開口する外気流通孔９ｇが少なくとも１つ形成され、本実施形態においては、外気流通孔９ｇは、周方向に間隔を空けて複数形成されている。さらに詳しくは、本実施形態では、外気流通孔９ｇが周方向で略４５度の範囲に延び、装着筒部９０ｂにおいて周方向に９０度間隔で４つ形成されている。
また、装着筒部９０ｂにおいて外気流通孔９ｇが形成されない領域には、第１係合突部９２が周方向に間隔をあけて複数形成されている。第１係合突部９２は、装着筒部９０ｂの下端部における外気流通孔９ｇが形成されない領域から径方向の外側に突出している。本実施形態では、第１係合突部９２は、周方向で略４５度の範囲に延び、装着筒部９０ｂにおいて周方向に９０度間隔で４つ形成され、隣接する外気流通孔９ｇの間に位置している。第１係合突部９２は、有頂筒状部５０の周壁部５０ｂの内周面において径方向の外側に向けて窪んで形成された係止凹部に係止されて、基板部９０の有頂筒状部５０に対する上下方向の移動を規制している。
【００２３】
さらに、基板部９０の基板主面部９０ａには、一端を外気流通孔９ｇに開放するとともに他端を嵌合突起９０ｅの先端から上方に開放する補助孔形成溝９３が周方向に間隔を空けて複数形成されている。補助孔形成溝９３は周方向に９０度間隔で４つ形成され、各外気流通孔９ｇから径方向の内側に延び、連通筒部９０ｄからは上方に延びて嵌合突起９０ｅの先端まで至っている。
【００２４】
一方で、図１及び図３を参照し、支持板部９１は、基板主面部９０ａ上に載置されるとともに貫通孔９ｆ１に連通して連通孔９ｆの一部を構成する上下方向に貫通した貫通孔９ｆ２が形成された支持板主面部９１ａと、支持板主面部９１ａの上面における外周縁部から上方に向けて突設された弁座筒部９１ｂと、を備えている。
図３（ｃ）に示すように、支持板部９１の下面には、貫通孔９ｆ２を径方向の外側から囲い、かつ基板部９０の連通筒部９０ｄが嵌合される、上下方向に非貫通の環状溝９１ｃが形成されている。また、図３（ｂ）に示すように、環状溝９１ｃを画成する壁面のうち下方を向く上面には、嵌合突起９０ｅが嵌合される嵌合孔９１ｄが形成されている。
【００２５】
図示の例では、嵌合孔９１ｄは周方向に９０度間隔で４つ形成されており、嵌合突起９０ｅは、嵌合孔９１ｄに対応して周方向に９０度間隔で４つ形成されている。そして、嵌合突起９０ｅが嵌合孔９１ｄに嵌合されて、基板部９０と支持板部９１とが一体化されている。
また、図示の例では、支持板主面部９１ａの中央部には上方に向けて膨出する膨出部９１ｘが形成されている。そして、貫通孔９ｆ２及び嵌合孔９１ｄは膨出部９１ｘの上面から上方に開放している。また、支持板主面部９１ａの上面には、下方に向けて窪んで全周わたって連続して延びる弁支持溝９１ｆが形成されている。
【００２６】
また、基板部９０と支持板部９１とが一体化された状態では、支持板部９１は、装着筒部９０ｂと径方向で離間して位置し、支持板部９１の外周面には、径方向の外側に突出して外気流通孔９ｇに挿入される第２係合突部９４が周方向に間隔を空けて複数形成されている。
第２係合突部９４は周方向で略４５度の範囲に延び、支持板主面部９１ａの外周面において周方向に９０度間隔で４つ形成され、外気流通孔９ｇを形成する壁面のうち下方を向く上面に下方から対向し、支持板部９１の基板部９０に対する上下方向の移動を規制している。
【００２７】
ここで、基板部９０の装着筒部９０ｂに形成された外気流通孔９ｇは、周方向で隣り合う第２係合突部９４同士の間の隙間を通して、吐出キャップ２４内における第２係合突部９４よりも上方の空間に連通し、その上方にある外気導入孔５ｄに連通している。
また、外気流通孔９ｇは、基板部９０と支持板部９１との間に形成される補助孔９５に連通している。補助孔９５は、補助孔形成溝９３と、支持板部９１における支持板主面部９１ａの下面、環状溝９１ｃの内周面、及び嵌合孔９１ｄの内周面と、により形成され、その一端部で外気流通孔９ｇに連通するとともに、他端部で吐出口１３と連通孔９ｆとの間に形成される連絡路Ｘと連通している。
【００２８】
次に、弁筒体１７は、上下方向に沿って延びる本体筒３５を備えている。本体筒３５は、下端部が閉塞板部９における支持板主面部９１ａの弁支持溝９１ｆに嵌合されるとともに、その上端部は、上述した空気弁受け筒１８内に嵌合され、そして天壁部５０ａに下方から当接している。なお、弁筒体１７は、本体筒３５の中心軸線を容器軸Ｏと同軸となるように配設されている。
ここで、本体筒３５の径方向の内側の空間は、上記した連絡路Ｘの一部を構成している。すなわち、連絡路Ｘは、本体筒３５の径方向の内側の空間及び吐出筒部５１の径方向の内側の空間で構成されている。一方、本体筒３５の径方向の外側において、本体筒３５と吐出キャップ本体５の有頂筒状部５０の内周面との間に形成される空間は、吸気孔７ｃと外気導入孔５ｄとを連通する吸気通路Ｙの一部を構成している。
吸気通路Ｙは、上記した本体筒３５と吐出キャップ本体５の有頂筒状部５０の内周面との間に形成される空間、上記した周方向で隣り合う第２係合突部９４同士の間の隙間、外気流通孔９ｇ、口部４ａの外周面と有頂筒状部５０の周壁部５０ｂの内周面との間の空間、及び吸気孔７ｃによって形成されている。
【００２９】
そして、弁筒体１７は、上記の本体筒３５と、本体筒３５の内周面に弾性変位自在に連結された吐出弁３６と、を備えている。吐出弁３６は、連通孔９ｆ及び補助孔９５を覆う板体４０と、板体４０と本体筒３５とを連結する連結部４１と、を備えている。板体４０は、連通孔９ｆよりも外径が大きい円板状に形成され、連通孔９ｆとともに補助孔９５の上端開放部分も覆う外径寸法に設定され、その下面が上述した膨出部９１ｘに上方から当接している。
【００３０】
連結部４１は、板体４０の外周縁部から径方向の外側に向けて延びており、板体４０の外縁部と本体筒３５の内周面とを連結している。連結部４１は、内容器２の内圧変動や吐出される内容物による圧力等に応じて弾性変形可能に構成され、連結部４１の弾性変形によって板体４０が上方へ移動可能に構成されている。そして、板体４０の移動により連絡路Ｘ（連通孔９ｆ）が開放され、連絡路Ｘ内を内容物が流通するようになっている。
また、本実施形態では、板体４０の移動により補助孔９５が開放され、詳細は後述するが、連絡路Ｘ内に内容器２と外容器３との間に吸気した外気を供給することが可能となっている。そして、本実施形態では、連絡路Ｘ内で内容物と外気とを気液混合した上で、発泡部材１００に気液混合体を供給可能となっている。
【００３１】
一方、本体筒３５の外周面側には環状の空気弁４５が配設されている。ここで、支持板部９１に形成された弁座筒部９１ｂは、吸気通路Ｙ内に位置しており、空気弁４５を、外気導入孔５ｄに、この孔５ｄの下方から対向させて離反自在に着座させており、空気弁４５は、弁座筒部９１ｂと外気導入孔５ｄとの間で非拘束状態で上下方向に移動自在（遊動自在）とされている。
【００３２】
本実施形態では、空気弁４５は、内容器２と外容器３との間の内圧変化に応じて外気導入孔５ｄを開閉させることで、吸気孔７ｃと外気導入孔５ｄとの連通及び遮断を切り替える。
【００３３】
本実施形態における空気弁４５は、弁筒体１７における本体筒３５の外周面に破断自在な弱化部４８を介して連結された空気弁４５と本体筒３５との一体成形体から弱化部４８が破断されて本体筒３５から分離されており、本体筒３５の外周面には、破断後の弱化部４８が残存している。図５を参照し、本体筒３５と空気弁４５とが連結した一体成形体が示されている。
当該一体成形体は、組付けの際に、閉塞板部９における支持板部９１に上方から組み込まれる。そして、この組み込みの際には、空気弁４５の下面を弁座筒部９１ｂで押圧するようにして、空気弁４５を本体筒３５から分離させるのが好ましい。
【００３４】
また、本実施形態では、吐出口１３と連通孔９ｆとの間である連絡路Ｘに、弾性変位自在に支持されるとともに、吐出弁３６を、容器本体の内側である下方に向けて押圧する押圧体６０が配設されている。詳しくは、吐出筒部５１の下端部の内周面に押圧体６０が配設されている。
【００３５】
押圧体６０は、容器軸Ｏに沿って上下方向に延びる棒状の押圧本体６１と、押圧本体６１と吐出筒部５１とを連結する連結部６２と、を備えている。押圧本体６１の下端部は下方に突の球面状に形成され、吐出弁３６の板体４０の中央に上方から当接している。連結部６２は、押圧本体６１の外周面から径方向の外側に向けて延びており、吐出筒部５１の内周面に連結している。連結部６２は、吐出弁３６の開閉動作等に応じて上下方向に弾性変形可能に構成されている。また、吐出弁３６の板体４０の上面には、押圧本体６１の先端部が支持される下方に突の球面状の窪み部が形成されている。
【００３６】
一方で、本実施形態では、吐出筒部５１の外周面に、外気導入孔５ｄを覆う被覆壁７０が径方向の外側に向けて突設されている。本実施形態の被覆壁７０は環板状に形成され、吐出筒部５１と一体に形成されている。
ここで、本実施形態ではオーバーキャップ６が、吐出キャップ本体５の周壁部５０ｂに下端部が外嵌された下筒部６ａと、下筒部６ａの上端部から径方向の内側に張り出す環状の連結板６ｂと、連結板６ｂの径方向内側端部から上方に向けて延び、吐出筒部５１を径方向の外側から覆う上筒部６ｃと、上筒部６ｃの上端開口を閉塞する天板部６ｄと、を備えている。そして、オーバーキャップ６の連結板６ｂと吐出キャップ本体５の天壁部５０ａとの間には上下方向の空間が形成されており、被覆壁７０は、連結板６ｂと天壁部５０ａとの間に位置し、連結板６ｂ及び天壁部５０ａに沿って延びている。また、被覆壁７０は、上下方向に弾性変位自在となっている。
【００３７】
被覆壁７０は、吐出筒部５１の外周面の下端部から径方向の外側に向けて、吐出キャップ本体５の天壁部５０ａの径方向外側端部の上方まで延び、さらに詳しくは、被覆壁７０の径方向外側端部は、径方向外側に向かうに従い次第に下方に湾曲して延びている。
【００３８】
本実施形態の被覆壁７０は、図１中の二点鎖線で示す状態のように成形直後では、吐出筒部５１の先端側に向けて湾曲する状態となっているが、被覆壁７０は、オーバーキャップ６が吐出キャップ本体５に装着され、オーバーキャップ６の連結板６ｂによって下方に向けて湾曲された状態とされることで、径方向に沿って延びるくせがつけられ、オーバーキャップ６が吐出キャップ本体５から取り外された場合であっても、成形直後のように、吐出筒部５１の先端側に向けて湾曲する状態に復帰しなくなっている。
なお、本実施形態では、被覆壁７０がオーバーキャップ６の装着時に連結板６ｂによって下方に向けて湾曲された状態とされるが、図１中の二点鎖線で示す被覆壁７０の成形直後の状態において、成形時の余熱や成形後の被覆壁７０に熱を加えること等によって、被覆壁７０を径方向に沿って延びる状態や下方に湾曲された状態に塑性変形させてもよい。
【００３９】
次に、図４を用いて、以上説明した本実施形態による吐出容器１の典型的な使用方法について説明する。
【００４０】
容器本体４の内容器２に収容された内容物を吐出させるとき、本実施形態の吐出容器１では、まずオーバーキャップ６を開け、例えば、吐出口１３が下方に向くような吐出姿勢とした状態で容器本体４の外容器３をスクイズ変形（弾性変形）させる。
これにより、内容器２が外容器３とともに変形して減容される。そして、この減容変形に伴い内容器２の内圧が上昇し、この内圧の上昇に伴い、吐出弁３６の連結部４１が弾性変形して板体４０が閉塞板部９の支持板部９１の膨出部９１ｘから吐出口１３側へ向けて離間し、連通孔９ｆが開放され、連絡路Ｘと連通する。これにより、内容器２の内部と吐出口１３とが連通し、内容器２に収容された内容物が連絡路Ｘを通って吐出口１３から吐出される。ここで、押圧体６０は、板体４０の変位に伴って吐出口１３側へ弾性変位される。なお、連絡路Ｘに流入した内容物等は、板体４０の径方向の外側を通って吐出口１３側へ流れる。
【００４１】
また、このとき、外容器３がスクイズ変形（弾性変形）されることで、内容器２と外容器３との間は正圧になり、内容器２と外容器３との間にある空気が、吸気孔７ｃから吸気通路Ｙを通って外気導入孔５ｄから外部に流れようとする。ここで、吸気通路Ｙの途中にある弁座筒部９１ｂに着座した空気弁４５は圧力を受けて外気導入孔５ｄ側へ移動し、外気導入孔５ｄを閉じる。これにより、外気導入孔５ｄからの排出を規制された空気は、補助孔９５を通って連絡路Ｘへ流れる。これにより、この吐出容器１では、連絡路Ｘで気液混合がなされ、吐出筒部５１内に設けられた発泡部材１００により気液混合体が好適に発泡される。
【００４２】
その後、内容器２の内圧が低下すると、連結部４１が弾性復元力により復元変形して板体４０により連通孔９ｆが閉じられるとともに、連絡路Ｘと内容器２の内部との連通が遮断されて内容器２が密封される。このとき、押圧体６０は、弾性復元力により復元変形して板体４０を押圧した状態に復帰し、板体４０の閉じ状態を保持する。
また、さらに上述したスクイズ変形が解除されると、外容器３は復元変形しようとする。このとき、外容器３と内容器２との間に発生した負圧が吸気孔７ｃを通して空気弁４５に作用することにより、この空気弁４５が吸気孔７ｃ側へ向けて開いて吸気孔７ｃと外部とが連通され、外気が吸気通路Ｙを通して吸気孔７ｃから外容器３と内容器２との間に吸入される。そして、内容器２の減容形状が保持される。
【００４３】
この状態から、再び容器本体４の外容器３をスクイズ変形させると、空気弁４５は外気導入孔５ｄ側へ移動して外気導入孔５ｄを閉じる。そして、外容器３と内容器２との間の内圧が上昇し、この内圧の上昇によって内容器２が減容変形される。内容器２が減容変形されることにより、上述同様に内容物が吐出される。このように、スクイズ変形された外容器３が復元変形しても、内容器２は内容物の減少とともに減容されていき、しかも内容器２の内部に外気（内容物と一緒に封入された外気は除く）が流入することが防止されている。これにより、内容物の劣化が防止されて、保存性が高められている。
なお、吐出後は、オーバーキャップ６を吐出キャップ２４に装着する。
【００４４】
ここで、本実施形態の吐出容器１では、吐出筒部５１の外周面に、外気導入孔５ｄを覆う被覆壁７０が径方向の外側に向けて突設されているため、吐出口１３から内容物を吐出した後に、仮に、吐出口１３に内容物等が残存した場合であっても、被覆壁７０が、吐出キャップ本体５の外側における吐出口１３と外気導入孔５ｄとの間に位置して、吐出口１３に残存した内容物等が吐出筒部５１の外周面をつたって外気導入孔５ｄに進入しようとするのをせき止める。
【００４５】
以上に記載したように、本実施形態の吐出容器１によれば、吐出筒部５１の先端の吐出口１３に付着した内容物等が吐出筒部５１の外周面をつたって外気導入孔５ｄ側に流れようとしたときに、内容物等が被覆壁７０によってせき止められる。これにより外気導入孔５ｄに内容物等が進入してしまうのを防止できる。
【００４６】
なお、本発明の技術的範囲は上記の各実施形態に限定されるものではなく、本発明の趣旨を逸脱しない範囲において種々の変更を加えることが可能である。
【００４７】
例えば、上記実施形態における容器本体４は、内容器２が外容器３の内面に剥離可能に積層されたいわゆるデラミボトルであるとしたが、これに限定されるものではなく、例えば、内容器２の外周面と外容器３の内周面とが別体に形成された二重容器であってもよい。
【００４８】
また、上記実施形態では、吐出容器１が泡吐出容器である例を説明したが、発泡部材１００及び補助孔９５を備えず、内容物と気体とを気液混合させない吐出容器であっても構わない。
【００４９】
また、上記実施形態では、吐出キャップ２４の吐出キャップ本体５の雌ねじ部５ｃが、容器本体４の口部４ａの雄ねじ部７ｂに螺着されることとしたが、これに限定されるものではない。すなわち、雌ねじ部５ｃ及び雄ねじ部７ｂを用いる代わりに、例えば容器本体４の口部４ａと吐出キャップ本体５とにそれぞれ嵌合凸部を形成してこれらをアンダーカット嵌合させることにより、吐出キャップ２４を口部４ａに装着することとしてもよい。
【００５０】
また、上述した閉塞板部９は、基板部９０と支持板部９１とを備える構成としたが、一部材で構成してもよい。
【００５１】
また、上記実施形態では、吐出弁３６が、連通孔９ｆ及び補助孔９５と連絡路Ｘとを連通及び遮断する弁であるが、連通孔９ｆと補助孔９５とがそれぞれ別の弁で開閉される構成であってもよい。
また、上記実施形態の被覆壁７０が環板状に形成され、吐出筒部５１と一体に形成されるとしたが、外気導入孔５ｄの形成位置に応じて、被覆壁７０は周方向に間隔をあけて複数形成されていてもよい。また被覆壁７０は、吐出筒部５１と一体に形成されることなく、別体で吐出キャップ２４に設けられてもよい。
また、被覆壁７０が環板状に形成しつつ、被覆壁７０において、径方向外側端部から内側へ延びるスリットを形成する等して、オーバーキャップ６が吐出キャップ２４に装着された際に、被覆壁７０が好適にオーバーキャップ６と吐出キャップ２４との間に収まるようにしてもよい。
また、上記実施形態では、被覆壁７０が径方向に沿って延び、その径方向外側端部が径方向外側に向かうに従い次第に下方に湾曲して延びる例を説明したが、被覆壁７０は、外気導入孔５ｄを覆う形状であればよく、例えば、径方向外側に向かうに従い上方に湾曲して延びる形状や、径方向外側に延びるに従い上方または下方に向けて直線的に傾斜して延びる形状でもよい。
さらに、上記実施形態では、被覆壁７０は全体として、外気導入孔５ｄが形成された天壁部５０ａと上下方向で離間する態様であるが、被覆壁７０は、その径方向外側端部が、天壁部５０ａに接触又は近接するものであってもよい。この場合には、より確実に、外気導入孔５ｄに内容物等が進入するのを抑制できる。
【符号の説明】
【００５２】
１  吐出容器
２  内容器
３  外容器
４  容器本体
４ａ  口部
５  吐出キャップ本体
５ｄ  外気導入孔
７ｃ  吸気孔
９ｆ  連通孔
１３  吐出口
２４  吐出キャップ
３６  吐出弁（補助弁）
４５  空気弁
５０  有頂筒状部
５０ａ  天壁部
５１  吐出筒部
７０  被覆壁
【図１】
2014231386.tif 000003
【図２】
2014231386.tif 000004
【図３】
2014231386.tif 000005
【図４】
2014231386.tif 000006
【図５】
2014231386.tif 000007